(57)【要約】【課題】一例として、より使いやすい新規な構成を有した変形可能な電子機器を得る。【解決手段】実施形態にかかる電子機器では、第一の筐体は、キーボードが設けられた第一の面を有した。第二の筐体は、第一の筐体と折りたたみ可能に接続され、折りたたまれた状態では第一の面と近接し展開された状態では第一の面から離間する第二の面を有した。フレキシブルディスプレイは、画像が表示される表示面を有し、第一の筐体に設けられた収納部に出入り可能に収納され、少なくとも一部が収納部から出た状態では少なくとも部分的に第二の面を覆い、第一の筐体および第二の筐体に支持された。駆動部は、第一の筐体と第二の筐体との展開に伴って動くことによりフレキシブルディスプレイを収納部から出る方向に動かすとともに、第一の筐体と第二の筐体との折りたたみに伴って動くことによりフレキシブルディスプレイを収納部に入る方向に動かす。【選択図】図３
2014071613.tif 000002
【特許請求の範囲】
【請求項１】
キーボードが設けられた第一の面を有した第一の筐体と、
前記第一の筐体と折りたたみ可能に接続され、折りたたまれた状態では前記第一の面と近接し展開された状態では前記第一の面から離間する第二の面を有した第二の筐体と、
画像が表示される表示面を有し、前記第一の筐体に設けられた収納部に出入り可能に収納され、少なくとも一部が前記収納部から出た状態では少なくとも部分的に前記第二の面を覆い、前記第一の筐体および前記第二の筐体に支持されたフレキシブルディスプレイと、
前記第一の筐体と前記第二の筐体との展開に伴って動くことにより前記フレキシブルディスプレイを前記収納部から出る方向に動かすとともに、前記第一の筐体と前記第二の筐体との折りたたみに伴って動くことにより前記フレキシブルディスプレイを前記収納部に入る方向に動かす駆動部と、
を備えた電子機器。
【請求項２】
前記第二の筐体は、第一の端部と、当該第一の端部とは反対側に位置され前記第一の筐体と前記第二の筐体とが展開された状態では前記第一の端部よりも前記第一の筐体から遠い第二の端部と、を備え、
前記第一の筐体と前記第二の筐体とが展開された状態では、前記フレキシブルディスプレイは、前記第二の端部から前記第一の端部とは反対側に向けて突出可能である、請求項１に記載の電子機器。
【請求項３】
前記収納部は、前記第一の面より前記第二の面に近い位置で前記フレキシブルディスプレイを収納した、請求項１または２に記載の電子機器。
【請求項４】
前記第一の筐体に設けられ、前記キーボードを支持する第一の壁部と、
前記第一の筐体内に収容され、前記第一の壁部に固定され前記キーボードとは反対側に位置された回路基板と、
を備え、
前記収納部は、前記回路基板の前記第一の壁部とは反対側で前記フレキシブルディスプレイを収納した、請求項１〜３のうちいずれか一つに記載の電子機器。
【請求項５】
前記フレキシブルディスプレイの動きと連動して伸縮する可動部を備えた、請求項１〜４のうちいずれか一つに記載の電子機器。
【請求項６】
前記駆動部は、前記フレキシブルディスプレイと当接して回動することにより当該フレキシブルディスプレイを送る回動部と、前記第一の筐体および前記第二の筐体のうち一方に固定された第一のギヤと、前記第一の筐体および前記第二の筐体のうち他方に回動可能に支持され前記第一のギヤと連動して回動し前記回動部と固定された第二のギヤと、を有した、請求項１〜５のうちいずれか一つに記載の電子機器。
【請求項７】
前記回動部はローラである、請求項６に記載の電子機器。
【請求項８】
前記回動部はスプロケットであり、
前記フレキシブルディスプレイには、前記スプロケットの歯に対応した開口部が設けられた、請求項６に記載の電子機器。
【請求項９】
第一の面と、当該第一の面とは反対側の第二の面と、を有した第一の筐体と、
前記第一の筐体と折りたたみ可能に接続され、折りたたまれた状態では前記第一の面と近接し展開された状態では前記第一の面から離間する第三の面を有した第二の筐体と、
画像が表示される表示面を有し、前記第一の面より前記第二の面の近くで前記第一の筐体内に出入り可能に収納され、少なくとも一部が前記第一の筐体から出た状態では少なくとも部分的に前記第二の面を覆い、前記第一の筐体および前記第二の筐体に支持されたフレキシブルディスプレイと、
を備えた電子機器。
【請求項１０】
第一の筐体と、
前記第一の筐体と回動可能に接続された第二の筐体と、
画像が表示される面を有し、前記第一の筐体および前記第二の筐体のうち少なくとも一方に収容された第一の位置と前記面が前記第一の位置より広く露出された第二の位置との間で移動可能に前記第一の筐体および前記第二の筐体のうち少なくとも一方に支持されたフレキシブルディスプレイと、
前記第一の筐体および前記第二の筐体のうち一方の他方に対する移動によって動かされて前記フレキシブルディスプレイを動かす駆動部と、
を備えた電子機器。
【発明の詳細な説明】
【技術分野】
【０００１】
本発明の実施形態は、電子機器に関する。
【背景技術】
【０００２】
従来、フレキシブルディスプレイを有した変形可能な電子機器が知られている。
【先行技術文献】
【特許文献】
【０００３】
【特許文献１】特開２００７−１２８０７８号公報
【発明の概要】
【発明が解決しようとする課題】
【０００４】
この種の電子機器では、例えば、フレキシブルディスプレイの柔軟性を利用したより使いやすい構成が得られれば好ましい。
【０００５】
そこで、本発明の実施形態は、一例として、より使いやすい新規な構成を有した変形可能な電子機器を得ることを、目的の一つとする。
【課題を解決するための手段】
【０００６】
本発明の実施形態にかかる電子機器は、第一の筐体と、第二の筐体と、フレキシブルディスプレイと、駆動部と、を備えた。第一の筐体は、キーボードが設けられた第一の面を有した。第二の筐体は、第一の筐体と折りたたみ可能に接続され、折りたたまれた状態では第一の面と近接し展開された状態では第一の面から離間する第二の面を有した。フレキシブルディスプレイは、画像が表示される表示面を有し、第一の筐体に設けられた収納部に出入り可能に収納され、少なくとも一部が収納部から出た状態では少なくとも部分的に第二の面を覆い、第一の筐体および第二の筐体に支持された。駆動部は、第一の筐体と第二の筐体との展開に伴って動くことによりフレキシブルディスプレイを収納部から出る方向に動かすとともに、第一の筐体と第二の筐体との折りたたみに伴って動くことによりフレキシブルディスプレイを収納部に入る方向に動かす。
【図面の簡単な説明】
【０００７】
【図１】図１は、実施形態にかかる電子機器の一例の展開状態での斜視図である。
【図２】図２は、実施形態にかかる電子機器の一例の展開状態での斜視図であって、第一の筐体の内部構造が示された図である。
【図３】図３は、実施形態にかかる電子機器の一例の展開状態での平面図であって、第一の筐体の内部構造が示された図である。
【図４】図４は、実施形態にかかる電子機器の一例の駆動部を含む内部構造の斜視図である。
【図５】図５は、実施形態にかかる電子機器の一例の駆動部を含む内部構造の模式的な側面図（一部断面図）である。
【図６】図６は、実施形態にかかる電子機器の一例の駆動部に含まれる回動部の側面図である。
【図７】図７は、実施形態にかかる電子機器の一例の一部の折りたたみ状態での断面図である。
【図８】図８は、実施形態にかかる電子機器の一例の一部の展開状態での断面図である。
【図９】図９は、実施形態にかかる電子機器の一例の第二の筐体に設けられた可動部の斜視図であって、縮んだ状態での図である。
【図１０】図１０は、実施形態にかかる電子機器の一例の第二の筐体に設けられた可動部の斜視図であって、伸びた状態での図である。
【図１１】図１１は、第１変形例にかかる電子機器の一例の一部の平面図であって、フレキシブルディスプレイの収納状態が示された図である。
【図１２】図１２は、第１変形例にかかる電子機器の一例の一部の平面図であって、フレキシブルディスプレイの突出状態が示された図である。
【図１３】図１３は、第２変形例にかかる電子機器の一例の駆動部を含む内部構造の斜視図である。
【図１４】図１４は、第３変形例にかかる電子機器の一例の駆動部に含まれる回動部の側面図である。
【図１５】図１５は、第４変形例にかかる電子機器の一例の第二の筐体に設けられた可動部の斜視図であって、縮んだ状態での図である。
【図１６】図１６は、第４変形例にかかる電子機器の一例の第二の筐体に設けられた可動部の斜視図であって、伸びた状態での図である。
【図１７】図１７は、第５変形例にかかる電子機器の一例の第一の筐体に設けられたガイド部の断面図である。
【図１８】図１８は、第６変形例にかかる電子機器の一例の一部の折りたたみ状態での断面図である。
【図１９】図１９は、第６変形例にかかる電子機器の一例の一部の展開状態での断面図である。
【図２０】図２０は、第６変形例にかかる電子機器の一例の一部の展開状態での断面図であって、図１９より大きく展開された状態での図である。
【図２１】図２１は、第７変形例にかかる電子機器の一例の駆動部の正面図（一部断面図）である。
【図２２】図２２は、第７変形例にかかる電子機器の一例の駆動部の斜視図である。
【図２３】図２３は、第８変形例にかかる電子機器の一例の一部の折りたたみ状態での断面図である。
【図２４】図２４は、第９変形例にかかる電子機器の一例の駆動部を含む内部構造の模式的な側面図（一部断面図）である。
【図２５】図２５は、第９変形例にかかる電子機器の一例の可動部の一部の平面図である。
【図２６】図２６は、第９変形例にかかる電子機器の一例の展開状態での平面図であって、第一の筐体の内部構造が示された図である。
【図２７】図２７は、第１０変形例にかかる電子機器の一例の駆動部を含む構造の模式的な側面図である。
【図２８】図２８は、第１０変形例にかかる電子機器の一例の駆動部を含む構造の模式的な側面図であって、図２７より大きく展開された状態での図である。
【発明を実施するための形態】
【０００８】
以下の例示的な実施形態や変形例には、同様の構成要素が含まれている。よって、以下では、同様の構成要素には共通の符号が付されるとともに、重複する説明が省略される。
【０００９】
また、以下の実施形態や変形例では、電子機器がパーソナルコンピュータとして構成された場合が例示されるが、本実施形態にかかる電子機器は、これには限定されない。本実施形態にかかる電子機器は、テレビジョン受像機や、携帯電話機、スマートフォン、ＰＤＡ（personal digital assistant）、事務機器、電子辞書装置、ゲーム装置、映像表示装置、映像再生装置等として構成することができる。
【００１０】
＜実施形態＞
本実施形態では、一例として、図１に示されるように、電子機器１は、筐体２（第一の筐体、第一の部分）と筐体３（第二の筐体、第二の部分）とを備える。筐体２および筐体３は、ディスプレイ５を支持する。筐体２は、厚さ方向に薄い扁平な直方体状に構成されている。筐体２は、厚さ方向の視線（平面視）では四角形状（本実施形態では、一例として長方形状）の外観を呈している。筐体３は、厚さ方向に薄い扁平な直方体状に構成されている。筐体２の端部２ｃと、筐体３の端部３ｅとが、ヒンジ部４を介して回動軸Ａｘ回りに回動可能（折りたたみ可能）に接続されている。筐体２の厚さ方向の視線（平面視）での大きさと、筐体３の厚さ方向の視線での大きさとは、略同じである。筐体３は、筐体２から離間して展開された所定の位置（本実施形態では、一例として筐体２と略１８０°の角度をなす位置、筐体２とともに平面状に並んだ状態、平坦な状態、離間位置、展開状態、第二の状態、第二の姿勢）と、端部２ｃへ近接して折りたたまれた位置（本実施形態では、一例として筐体２と略０°の角度をなす位置、筐体２と厚さ方向に重なった状態、筐体２に沿った位置、折りたたみ状態、近接位置、第一の姿勢、第一の状態）との間で、回動する（移動する）ことができる。また、電子機器１は、筐体２と筐体３との間に抵抗トルク（回動抵抗力）を生じさせる抵抗要素（例えば皿ばね等、図示されず）が設けられている。抵抗要素は、筐体２と筐体３との角度を維持する。操作者が、筐体２と筐体３との間に当該抵抗トルクを超えた回動トルクを与えた場合には、筐体２と筐体３とは回動する（姿勢を変化させる）ことができる。抵抗トルクの大きさは、自重や加振等では筐体２と筐体３等が回動しないように設定されている。
【００１１】
筐体２は、本実施形態では、一例として、面２ａ（前面、上面、正面、面部）とこの反対側の面２ｂ（後面、下面、背面、面部）と、を有する。面２ａおよび面２ｂは、いずれも、筐体２の厚さ方向と交叉する方向（本実施形態では、一例として直交する方向）に沿って延びている（拡がっている）。面２ａと面２ｂとは略平行である。また、図１〜３に示されるように、筐体２は、平面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００１２】
また、筐体２は、一例として、面２ａ（第一の面）を有する壁部２ｋ（部分、プレート、フレーム、前壁部、表壁部、天壁部）と、面２ｂ（第二の面）を有する壁部２ｍ（部分、プレート、後壁部、裏壁部、底壁部）と、を有する。壁部２ｋ，２ｍは、厚さ方向の視線（平面視）では四角形状（本実施形態では、一例として長方形状）の外観を呈する。壁部２ｋと壁部２ｍとは、互いに離間して設けられている。また、筐体２は、壁部２ｋと壁部２ｍとの間に亘った面２ｐ（側面、周面）を有する四つの壁部２ｎ（部分、プレート、側壁部、端壁部、立壁部、亘部）を有する。筐体２の内部には空間２ｓ（図２，３参照）が設けられている。空間２ｓは、壁部２ｋ，２ｍ，２ｎによって囲まれ、壁部２ｋと壁部２ｍとの間に位置され、端部２ｃと端部２ｅとの間に亘り、端部２ｄと端部２ｆとの間に亘っている。空間２ｓには、例えば、バッテリや、回路基板２ｒ（基板、制御基板、サブ基板、図７，８参照）、各種モジュール、ＯＤＤ（optical disk drive）、ＨＤＤ（hard disk drive）、ＳＳＤ（solid state drive）、アンテナ、カメラモジュール、スピーカユニット、コネクタユニット、操作部ユニット（スイッチ）、センサユニット等の各種部品が、収容されることができる。
【００１３】
また、本実施形態では、空間２ｓ内に設けられる回路基板２ｒには、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、ディスプレイ５の表示画面（面５ａ）での映像（動画や静止画等）の出力や、スピーカ（図示されず）での音声の出力、ＬＥＤ（light emitting diode、図示されず）での発光等を制御する。ディスプレイ５や、スピーカ、ＬＥＤ等は、出力部の一例である。
【００１４】
また、筐体２は、複数の部品（分割体）が組み合わせられて構成されることができる。筐体２は、本実施形態では、一例として、少なくとも壁部２ｋを含む部材２１（上側部材、マスク、マスク部、カバー、フロントカバー、カバー部、部分、領域）と、少なくとも壁部２ｍを含む部材２２（下側部材、ベース、ベース部、ボトム、ボトム部、カバー、リヤカバー、カバー部、部分、領域）とを有する。壁部２ｎは、部材２１および部材２２のうち少なくともいずれか一方（例えば、部材２２）に含まれる。また、筐体２は、部材２１と部材２２との間に位置した別の部材（中間部材、隔部材、障壁部材、壁部材、介在部材、覆部材、インナプレート、ミドルプレート、ミドルフレーム、シールド、部分、領域、図示されず）を有することができる。筐体２は、金属材料や、合成樹脂材料等で構成されることができる。一例としては、部材２１を合成樹脂材料で構成し、部材２２を金属材料で構成することができる。あるいは、部材２１を金属材料で構成し、部材２２を合成樹脂材料で構成することができる。また、部材２１および部材２２は、同じ材料で構成されることができるし、それぞれ部分的に異なる材料を含むことができる。なお、部材２１や部材２２の筐体２内側には、リブ等の壁部（突出部、突出壁部、図示されず）が設けられることができる。これら壁部により、筐体２の剛性が高まりやすい。
【００１５】
また、筐体２の面２ａ（壁部２ｋ）には、キーボード６（操作部、入力部、キーボードモジュール、モジュール）や、タッチパッド７（ポインティングデバイス、タッチセンサ）等が設けられている。キーボード６は、端部ｅよりも端部２ｃに近い側の長方形状の領域に位置され、壁部２ｋに支持されている。また、タッチパッド７は、端部２ｃよりも端部２ｅに近い側に位置され、壁部２ｋの裏面に取り付けられている。壁部２ｋのキーボード６より端部２ｅ側の領域は、パームレスト８である。タッチパッド７は、パームレスト８の長手方向の中間部分（中央部分）に位置されている。回路基板２ｒは、キーボード６の裏側の筐体２内（空間２ｓ内）に収容されている。また、パームレスト８の裏側の筐体２内（空間２ｓ内）には、比較的厚い部品９（高い部品、電気部品、一例としては、バッテリや、ＯＤＤ等）が収容されている。
【００１６】
また、筐体３は、一例として、図１に示されるように、面３ａ（第二の面、第三の面）を有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、厚さ方向の視線（平面視）では四角形状（本実施形態では、一例として長方形状）の外観を呈する。壁部３ｋと壁部３ｍとは、互いに離間して設けられている。また、筐体３は、壁部３ｋと壁部３ｍとの間に亘った面３ｐ（側面、周面）を有する四つの壁部３ｎ（部分、プレート、側壁部、端壁部、立壁部、亘部）を有する。面３ａおよび面３ｂは、いずれも、筐体３の厚さ方向と交叉する方向（本実施形態では、一例として直交する方向）に沿って延びている（拡がっている）。面３ａと面３ｂとは略平行である。また、図１〜３に示されるように、筐体３は、平面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１７】
ディスプレイ５（表示部、表示装置、部品）は、本実施形態では、一例として、可撓性で、柔軟で、屈曲可能で、薄く、かつシート状（膜状）である。ディスプレイ５は、例えば、ＬＣＤ（liquid crystal display）やＯＥＬＤ（organic electroluminescent display）等である。ディスプレイ５は、厚さ方向の視線（平面視）で四角形状（本実施形態では、一例として長方形状）に構成されている。ディスプレイ５は、画像を見ることができる面５ａ（表示面、前面、正面、上面、表面、表示画面）とその反対側の面５ｂ（後面、背面、下面、裏面）とを有する。また、ディスプレイ５は、平面視では、四つの端部５ｃ〜５ｆ（辺部、縁部）と、四つの角部５ｇ〜５ｊ（尖部、曲部、端部）と、を有する。端部５ｃ，５ｅは、短辺部の一例である。また、端部５ｄ，５ｆは、長辺部の一例である。なお、ディスプレイ５には、タッチセンサ（図示されず）が設けられることができる。タッチセンサは、無色透明であり、ディスプレイ５を構成する層内あるいはディスプレイ５の面５ａを覆う層に位置されることができる。
【００１８】
本実施形態では、一例として、ディスプレイ５は、筐体３の面３ａを覆っている。すなわち、ディスプレイ５は、面３ａ上に位置されている。換言すれば、筐体３は、ディスプレイ５の面５ｂを覆っている。また、ディスプレイ５は、筐体２および筐体３に支持されている。筐体２は、ディスプレイ５の長手方向の中間部分より一方側（本実施形態では、一例として端部５ｅ側）の領域を支持し、筐体３は、ディスプレイ５の長手方向の中間部分より他方側（本実施形態では、一例として端部５ｃ側）の領域を支持している。なお、ディスプレイ５の周縁部（端部５ｃ〜５ｆ）には、矩形状かつ枠状の非表示領域（図示されず）が設けられている。また、ディスプレイ５は、回路基板２ｒと、配線（例えば、フレキシブルプリント配線板（ＦＰＣ，flexible printed circuit）、図示されず）等を介して、電気的に接続されている。
【００１９】
また、ディスプレイ５は、筐体２内に設けられた収納部２ｔに出入り可能に収納されている。本実施形態では、一例として、図２に示されるように、収納部２ｔは、筐体２の壁部２ｍの筐体２内側かつ端部２ｃ側に位置されている。壁部２ｍには、端部５ｄ，５ｆに沿って延びたガイド部２ｕが設けられている。一対のガイド部２ｕは、壁部２ｍから突出した壁部２ｕ１と、壁部２ｕ１の端部から互いに近接する方向に突出した壁部２ｕ２とを有し、Ｌ字状の断面を有している。ガイド部２ｕにより、ディスプレイ５は壁部２ｍ側に寄って位置される。なお、ガイド部２ｕは、少なくともディスプレイ５と当接する部分に、例えば、ポリテトラフルオロエチレン（polytetrafluoroethylene）等、比較的滑りやすい（摩擦係数の低い）合成樹脂材料で構成された摩擦低減部（図示されず）を有することができる。摩擦低減部は、ディスプレイ５に塗布されたり、接着されたりして、設けられうる。摩擦低減部は、ディスプレイ５と筐体２，３とが接触する部分に設けられうる。
【００２０】
ここで、図１，２を比較すれば明らかとなるように、収納部２ｔおよびディスプレイ５は、キーボード６の裏側に位置されている。また、図８に示されるように、収納部２ｔおよびディスプレイ５は、壁部２ｋのキーボード６とは反対側に位置されるとともに、壁部２ｋの当該壁部２ｋに設けられた部品９（回路基板２ｒや、回路基板２ｒに設けられた部品９ａ等）とは反対側に位置されている。すなわち、収納部２ｔおよびディスプレイ５は、面３ａよりも面３ｂに近い位置に位置されている。このような配置とすることで、ディスプレイ５を、筐体２内で、例えば部品９との干渉を抑制するなど、より不都合の少ない状態で配置（収納）することができる。また、キーボード６と部品９とは配線（例えばＦＰＣ等、図示されず）を介して電気的に接続されるため、当該配置によって、一例としては、ディスプレイ５と配線との干渉が回避されやすく、部品９のレイアウトの自由度が高まりやすい。また、収納部２ｔおよびディスプレイ５が、筐体２内では、端部２ｃ側に寄せて配置されることで、端部２ｅ側の空間２ｓには、ディスプレイ５との干渉を回避しつつ、比較的厚い部品９（図１参照）が配置されやすい。
【００２１】
また、ディスプレイ５は、本実施形態では、一例として、筐体２および筐体３の双方に支持されている。ディスプレイ５の筐体２側の部分は、筐体２の内部に位置されている。一方、ディスプレイ５は、筐体３側では、端部３ｅに設けられた開口部３ｒから面３ａ側に露出している。また、ディスプレイ５は、端部３ｅと端部３ｃとの間に亘って延び、面３ａを覆っている。また、少なくとも展開状態では、ディスプレイ５は、端部３ｃを超えて筐体３の外側（端部３ｃの端部３ｅとは反対側）まで延びる（突出する）ことができる。ディスプレイ５は、筐体２の収納部２ｔ内に収納された第一の位置Ｐ１（収納位置、図３参照）と、収納部２ｔから外に出されて端部３ｃより外側に延びた第二の位置Ｐ２（突出位置、図２，３参照）との間で移動（スライド）することができる。
【００２２】
また、本実施形態では、一例として、電子機器１は、ディスプレイ５を第一の位置Ｐ１と第二の位置Ｐ２との間で動かす駆動部１０を備えている。駆動部１０は、筐体２と筐体３との移動（相対移動）に連動して、筐体２または筐体３（本実施形態では、一例として筐体２）によって動かされて、ディスプレイ５を動かす。本実施形態では、一例として、駆動部１０は、筐体２と筐体３との展開に伴って動くことによりディスプレイ５を収納部２ｔから出る方向に動かすとともに、筐体２と筐体３との折り畳みに伴って動くことによりディスプレイ５を収納部２ｔへ入る方向に動かす。具体的には、図４〜８に示されるように、駆動部１０は、ギヤ１０ａ（第一のギヤ）や、ギヤ１０ｂ（第三のギヤ）、ギヤ１０ｃ（第二のギヤ）、ローラ１０ｄ（回動部）、支持部１０ｅ等を有する。ギヤ１０ａ〜１０ｃは、いずれも支持部１０ｅに回動可能に支持されている。また、ギヤ１０ａ〜１０ｃは、いずれも、端部３ｅ，２ｃに沿った互いに平行な回動軸Ａｘ回りに回動可能に支持されている。支持部１０ｅは、筐体２に固定されている。ギヤ１０ａは、ヒンジ部４のシャフト４ａに固定され、筐体３とともに回動する。ギヤ１０ｂ，１０ｃは、支持部１０ｅすなわち筐体２に回動可能に支持されている。ギヤ１０ｂは、ギヤ１０ａとギヤ１０ｃとの間に位置され、ギヤ１０ａおよびギヤ１０ｃの双方に噛み合っている。ギヤ１０ｂは、ギヤ１０ａの回転方向を逆転させる。ギヤ１０ｃは、ローラ１０ｄに固定されている。ギヤ１０ｃとローラ１０ｄとは同心で回動する。ローラ１０ｄは、ディスプレイ５と当接し、当該ディスプレイ５を送る。すなわち、ローラ１０ｄの回動に伴ってディスプレイ５は第一の位置Ｐ１と第二の位置Ｐ２との間で移動する。ローラ１０ｄのディスプレイ５との接触部分は、例えばエラストマ等で構成される。図４，５に矢印で示されるように、筐体３が筐体２に対して図４，５での反時計回り方向へ回動すると、ギヤ１０ａは図４，５での反時計回り方向に回動し、ギヤ１０ｂは図４，５での時計回り方向に回動し、ギヤ１０ｃならびにローラ１０ｄは図４，５での反時計回り方向へ回動する。よって、ディスプレイ５は、図４，５では右方向に移動する。筐体３が筐体２に対して図４，５での時計回り方向へ回動すると、ギヤ１０ａ〜１０ｃならびにローラ１０ｄは図４，５中の矢印とは逆方向に回動し、ディスプレイ５は、図４，５では左方向へ移動する。このように、駆動部１０によれば、図７に示される筐体２，３の折り畳みならびに図８に示される筐体２，３の展開（すなわち、図７，８に示される筐体２，３の回動（移動））に応じて、ディスプレイ５が移動する。なお、かかる構成はあくまで一例であって、ディスプレイ５は、操作者の手指等による手動操作によって第一の位置Ｐ１と第二の位置Ｐ２との間で移動するように構成されてもよい。
【００２３】
また、本実施形態では、一例として、図３，９，１０に示されるように、ディスプレイ５の動きと連動して伸縮する可動部１１，１２を備えている。可動部１１は、図３に示されるように、複数のリンク１１ａ１，１１ａ２が、連結点１１ｂで回動可能またはスライド可能に連結されたリンク機構として構成されている。また、可動部１２は、図９，１０に示されるように、複数のリンク１２ａ１，１２ａ２が、連結点１２ｂ１，１２ｂ２で回動可能またはスライド可能に連結されたリンク機構として構成されている。可動部１１は、平行リンク機構として構成され、二つのリンク１１ａ１が互いに平行な状態を保持したまま回動する。これにより、図３に示されるように、リンク１１ａ２が取り付けられたディスプレイ５の端部５ｅは平行移動することができる。すなわち、可動部１１により、ディスプレイ５の傾きが抑制される。一方、可動部１２では、互いに交叉して配置された二つのリンク１２ａ１の中央部分同士が、連結点１２ｂ１で回動可能に接続されている。また、二つのリンク１２ａ１の長手方向の端部は、連結点１２ｂ２で、リンク１２ａ２にスライド可能に連結されている。よって、図９，１０に示されるように、先端側（突端側）のリンク１２ａ２に取り付けられたディスプレイ５の端部５ｃは平行移動することができる。すなわち、可動部１２により、ディスプレイ５の傾きが抑制される。また、可動部１２は、ディスプレイ５が筐体３から突出した部分を、その突出量（突出状態）によらず支持することができる。可動部１１，１２は、ディスプレイ５のガイド部として機能する。
【００２４】
以上、説明したように、本実施形態では、一例として、駆動部１０は、筐体２と筐体３との展開に伴って動くことによりディスプレイ５を収納部２ｔから出る方向に動かすとともに、筐体２と筐体３との折りたたみに伴って動くことによりディスプレイ５を収納部２ｔに入る方向に動かす。よって、本実施形態によれば、一例としては、ディスプレイ５を手動操作で取り扱う場合に比べて、操作者の手間が減りやすい。
【００２５】
また、本実施形態では、一例として、筐体２と筐体３とが展開された状態では、ディスプレイ５は、端部３ｃから端部３ｅとは反対側に向けて突出可能である。よって、本実施形態によれば、一例としては、使用者は、展開状態（使用状態）で、より広いディスプレイ５を利用することができるとともに、折りたたみ状態（非使用状態）では、電子機器１がよりコンパクトになる。
【００２６】
また、本実施形態では、一例として、収納部２ｔは、面２ａより面２ｂに近い位置でディスプレイ５を収納した。よって、本実施形態によれば、一例としては、面２ａに近い位置にディスプレイ５が収納された場合に比べて、折りたたみ状態で屈曲されたディスプレイ５の曲率半径がより大きくなりやすい。よって、ディスプレイ５への負荷が減りやすい。また、一例としては、筐体２内の部品９等との干渉が抑制されやすい。
【００２７】
また、本実施形態では、一例として、収納部２ｔは、回路基板２ｒの壁部２ｋとは反対側でディスプレイ５を収納した。よって、本実施形態によれば、一例としては、キーボード６と回路基板２ｒとがより容易に電気的に接続されやすい。
【００２８】
また、本実施形態では、一例として、電子機器１は、ディスプレイ５の動きと連動して伸縮する可動部１１，１２を備えた。よって、本実施形態によれば、一例としては、ディスプレイ５がより円滑にあるいはより精度よく動きやすい。また、本実施形態によれば、一例としては、ディスプレイ５の位置によらず、ディスプレイ５がより安定的に支持されやすい。
【００２９】
また、本実施形態では、一例として、駆動部１０は、ディスプレイ５と当接して回動することによりディスプレイ５を送るローラ１０ｄと、筐体２および筐体３のうち一方（本実施形態では、一例として筐体３）に固定されたギヤ１０ａと、筐体２および筐体３のうち他方（本実施形態では、一例として筐体２）に回動可能に支持されギヤ１０ａと連動して回動しローラ１０ｄと固定されたギヤ１０ｃと、を有した。よって、本実施形態によれば、一例としては、駆動部１０を、比較的簡素に構成することができる。また、ディスプレイ５がより確実に動きやすい。また、ギヤ比の設定等により、ディスプレイ５の移動状態（移動速度、移動量）を比較的容易に調整しやすい。
【００３０】
＜第１変形例＞
図１１，１２に示される本変形例にかかる電子機器１Ａは、上記実施形態と同様の構成を備えている。よって、本変形例によっても、上記実施形態と同様の構成に基づく同様の作用および結果（効果）が得られる。ただし、本変形例では、ディスプレイ５と回路基板２ｒ（図７，８等参照）とを接続する配線１３が、可動部１１に支持されている。具体的に、可動部１１のリンク１１ａ２に設けられた支持部１１ｃには、配線１３が貫通する開口部（図示されず）が設けられている。図１１に示されるように、ディスプレイ５が第一の位置Ｐ１に位置している状態では、ディスプレイ５側の配線１３の端部１３ａと筐体２側の配線１３の端部１３ｂとが近接するため、配線１３が曲がる。ここで、リンク１１ａ２は、ディスプレイ５が第一の位置Ｐ１に位置して可動部１１が縮んでいる状態では、ディスプレイ５が第二の位置Ｐ２に位置して可動部１１が伸びた状態に比べて、端部１３ａ，１３ｂから遠ざかる。よって、本変形例によれば、リンク１１ａ２に設けた支持部１１ｃによって配線１３の曲がった部分を支持することができ、配線１３が不都合な状態に曲がるのを抑制することができる。一例としては、ディスプレイ５が第二の位置Ｐ２に位置している状態で、配線１３の端部１３ａ，１３ｂと支持部１１ｃとが略直線状に並ぶなど、配線１３の端部１３ａ，１３ｂおよび支持部１１ｃを適切に配置することで、配線１３が不都合な状態に曲がるのを抑制することができる。同様の作用ならびに効果は、支持部１１ｃが、例えば、リンク１１ａ１のリンク１１ａ２側の端部など、可動部１１のうち縮んだ状態での位置が延びた状態での位置から比較的大きく離れる領域に設けられた場合に、得られる。
【００３１】
＜第２変形例＞
図１３に示される本変形例にかかる電子機器１Ｂは、上記実施形態や変形例と同様の構成を備えている。よって、本変形例によっても、上記実施形態や変形例と同様の構成に基づく同様の作用および結果（効果）が得られる。ただし、本変形例では、ローラ１０ｄにはスプロケット１４が設けられている。スプロケット１４は、周方向に一定の間隔で配置された複数の歯１４ａを有している。また、ディスプレイ５の端部５ｆには、スプロケット１４の歯１４ａに対応した一定の間隔で、複数の開口部５ｋが設けられている。本変形例によれば、ローラ１０ｄの回動に応じて、歯１４ａがディスプレイ５に設けられた開口部５ｋに入り、歯１４ａが開口部５ｋの周縁部を押すことにより、ディスプレイ５を送ることができる。ギヤ１０ａ〜１０ｃならびにローラ１０ｄの回動方向に対するディスプレイ５の移動方向は、上記実施形態と同様である。本変形例によれば、一例としては、ローラ１０ｄとディスプレイ５との滑りが抑制されやすい。よって、一例としては、ディスプレイ５がより確実に移動されやすい。
【００３２】
＜第３変形例＞
図１４に示される本変形例にかかる電子機器１Ｃは、上記実施形態や変形例と同様の構成を備えている。よって、本変形例によっても、上記実施形態や変形例と同様の構成に基づく同様の作用および結果（効果）が得られる。ただし、本変形例では、ローラ１０ｄ１の長手方向の端部１０ｆの直径が、長手方向の中央部１０ｇの直径より大きい。本変形例によれば、一例としては、ディスプレイ５が幅方向に撓んだような場合にあっても、ディスプレイ５に端部１０ｆが当接しやすく、よって、ローラ１０ｄ１の回動がディスプレイ５に伝達されやすい。
【００３３】
＜第４変形例＞
図１５，１６に示される本変形例にかかる電子機器１Ｄは、上記実施形態や変形例と同様の構成を備えている。よって、本変形例によっても、上記実施形態や変形例と同様の構成に基づく同様の作用および結果（効果）が得られる。ただし、本変形例では、可動部１２の突端側のリンク１２ａ２にガイド部１２ｃ（支持部）が設けられている。ガイド部１２ｃは、ディスプレイ５の移動方向（進退方向）に沿って突端側から基端側（端部３ｅ側）に亘って帯状（板状）に伸びている。ガイド部１２ｃには、レール１２ｄ（例えば、貫通孔）が設けられている。リンク１２ａ１とリンク１２ａ１との連結点１２ｂ１ならびに基端側のリンク１２ａ２には、スライダ１２ｅ（例えば、突起）が設けられている。スライダ１２ｅは、レール１２ｄに沿って案内される。本変形例によれば、一例としては、ディスプレイ５がガイド部１２ｃによっても支持される。よって、一例としては、ディスプレイ５の筐体３の端部３ｃより外側（先端側）の領域が、より一層撓み難くなる。
【００３４】
＜第５変形例＞
図１７に示される本変形例にかかる電子機器１Ｅは、上記実施形態や変形例と同様の構成を備えている。よって、本変形例によっても、上記実施形態や変形例と同様の構成に基づく同様の作用および結果（効果）が得られる。ただし、本変形例では、ディスプレイ５に設けられたスライダ５ｍ（ガイド部）が、筐体２の壁部２ｍに設けられたレール２ｖ（ガイド部）に沿って案内されている。スライダ５ｍは、ディスプレイ５の端部５ｅ等、収納部２ｔ内に位置される部分に固定されている。レール２ｖは、壁部２ｍを貫通する貫通部（開口部）として設けられ、ディスプレイ５の移動方向（すなわち、端部２ｄ，２ｆ）に沿って延びている。本変形例によれば、一例としては、スライダ５ｍおよびレール２ｖは、可動部１１，１２と同様、ガイド部として機能する。よって、一例としては、ディスプレイ５の傾きが抑制されやすい。
【００３５】
＜第６変形例＞
図１８〜２０に示される本変形例にかかる電子機器１Ｆは、上記実施形態や変形例と同様の構成を備えている。よって、本変形例によっても、上記実施形態や変形例と同様の構成に基づく同様の作用および結果（効果）が得られる。ただし、本変形例では、筐体２と筐体３との間に、ヒンジ部４ならびにディスプレイ５を覆うカバー１５が設けられている。カバー１５は、筐体２および筐体３のうち少なくともいずれか一方に回動可能に支持され、一例としては、ヒンジ部４の一部に、回動可能に支持されうる。カバー１５は、Ｕ字状の断面形状を有した壁部１５ａを有する。カバー１５の当該Ｕ字の開放側には、筐体３側の開口部１５ｂが設けられ、壁部１５ａには、当該Ｕ字の底部となる位置に端部２ｃに沿って延びたスリット状の開口部１５ｃが設けられている。ディスプレイ５は、開口部１５ｂ，１５ｃを貫通する。図１８，１９に示されるように、折りたたみ状態と筐体２，３の角度が側面視で９０°となる状態との間では、カバー１５は、筐体３に追従して動く。図２０に示されるように、図１９の状態より大きく展開される状態では、カバー１５は、筐体３には追従せず、カバー１５と筐体３とが折れ曲がる。よって、本変形例によれば、カバー１５が設けられた分、ディスプレイ５が筐体２と筐体３との境界部分で露出し難くなる（外から見えにくくなる）。
【００３６】
＜第７変形例＞
図２１，２２に示される本変形例にかかる電子機器１Ｇは、上記実施形態や変形例と同様の構成を備えている。よって、本変形例によっても、上記実施形態や変形例と同様の構成に基づく同様の作用および結果（効果）が得られる。ただし、本変形例では、駆動部１０Ｇが、遊星歯車機構として構成されている。すなわち、ギヤ１０ａがサンギヤ、ギヤ１０ｂがプラネタリギヤ、ギヤ１０ｃがリングギヤとして構成され、ギヤ１０ｃにローラ１０ｄが固定されている。本変形例によっても、上記駆動部１０と同様の回転方向が得られる。また、本変形例にかかる駆動部１０Ｇは、一例としては、上記駆動部１０に比べて、よりコンパクトに構成できる場合がある。
【００３７】
＜第８変形例＞
図２３に示される本変形例にかかる電子機器１Ｈは、上記実施形態や変形例と同様の構成を備えている。よって、本変形例によっても、上記実施形態や変形例と同様の構成に基づく同様の作用および結果（効果）が得られる。ただし、本変形例では、ディスプレイ５は、筐体３内に収納されている。すなわち、収納部３ｔは、筐体３の壁部３ｍ側に設けられ、ディスプレイ５を、面３ａより面３ｂに近い位置で収納している。本変形例によっても、筐体２，３の回動に連動して、ディスプレイ５が移動する。本変形例によれば、一例としては、ディスプレイ５が筐体２に収納された場合に比べて、電子機器１Ｈの構成がより簡素化されやすい場合がある。
【００３８】
＜第９変形例＞
図２４〜２６に示される本変形例にかかる電子機器１Ｉは、上記実施形態や変形例と同様の構成を備えている。よって、本変形例によっても、上記実施形態や変形例と同様の構成に基づく同様の作用および結果（効果）が得られる。ただし、本変形例では、ギヤ１０ａ１の動作する角度が限定されている。したがって、筐体３が折りたたみ状態から最大展開状態（例えば、１８０°展開された状態）に向けて回動し、筐体２と筐体３との角度が所定角度（設定された角度、折りたたみ状態と最大展開状態との間の起立状態）に到達した時点から最大展開状態となるまでの間は、ギヤ１０ａ１によってギヤ１０ｂ，１０ｃおよびローラ１０ｄが回動しなくなる。すなわち、本変形例では、当該所定角度でディスプレイ５が最大に引き出された状態（最大突出状態、最大露出状態）となり、当該所定角度より最大展開状態となるまでの間は、ディスプレイ５が最大に引き出された状態となる。
【００３９】
また、本変形例では、一例として、図２５に示されるように、可動部１２のリンク１２ａ１とリンク１２ａ２との連結点１２ｂ２に、スナップフィット機構１６（保持機構、保持部）が設けられている。スナップフィット機構１６は、リンク１２ａ２に設けられたレール１２ｆに設けられた突起１２ｇ（狭窄部）と、リンク１２ａ１に設けられレール１２ｆを移動するスライダ１２ｈと、によって構成されている。ディスプレイ５が最大に引き出された状態で、スライダ１２ｈは突起１２ｇを乗り越えて、レール１２ｆの突起１２ｇより端部１２ｉ側に保持される。筐体２と筐体３との折りたたみ時に駆動部１０Ｉのギヤ１０ａ１とギヤ１０ｂとが噛み合い、ギヤ１０ｃおよびローラ１０ｄが回動してディスプレイ５からリンク１２ａ２に基端部（端部３ｅ側）に力が作用すると、スライダ１２ｈは突起１２ｇを乗り越えてレール１２ｆの突起１２ｇの端部１２ｉとは反対側へ移動する。
【００４０】
さらに、本変形例では、一例として、図２６に示されるように、ディスプレイ５に収納部２ｔに入る（戻る）方向に力（弾性力）を与えるコイルスプリング１７（弾性部材）が設けられている。コイルスプリング１７は、ディスプレイ５に張力を与えるとともに、ディスプレイ５が収納部２ｔに入るのを補助する。以上の本変形例によれば、使用者は、展開状態の角度によらず、より広く引き出された（突出された、露出された）ディスプレイ５を利用することができる。なお、コイルスプリング１７に替えて、トーションスプリングや、板ばね、エラストマ等を用いることができる。
【００４１】
＜第１０変形例＞
図２７，２８に示される本変形例にかかる電子機器１Ｊは、上記実施形態や変形例と同様の構成を備えている。よって、本変形例によっても、上記実施形態や変形例と同様の構成に基づく同様の作用および結果（効果）が得られる。ただし、本変形例では、駆動部１０Ｊは、ギヤ１０ａ，１０ｃや、ローラ１０ｄ、支持部１０ｅ等を有し、中間のギヤ１０ｂを有しない。ギヤ１０ａおよびギヤ１０ｃは噛み合っており、互いに逆方向に回動する。ギヤ１０ａは、筐体３に固定されている。ギヤ１０ａは、回動軸Ａｘ１回りに回動可能である。ギヤ１０ｃは、筐体２に、回動軸Ａｘ２回りに回動可能に支持されている。ギヤ１０ｃは同心（回動軸Ａｘ２）回りに回動するローラ１０ｄと固定されている。ローラ１０ｄの回動に伴ってディスプレイ５が移動する。支持部１０ｅは、筐体２に固定されている。筐体３は、支持部１０ｅ（筐体２）に、回動軸Ａｘ１回りに回動可能に支持されている。なお、駆動部１０Ｊは、筐体３や筐体２あるいはそれらに設けられた部材（図示されず）によってカバーされることができる。
【００４２】
このような構成において、筐体３が折りたたみ状態から最大展開状態に向けて、図２７，２８では反時計回り方向に回動すると、ギヤ１０ａは筐体３とともに同じ方向（図２７，２８では反時計回り方向）に回動する。すると、ギヤ１０ａと噛み合うギヤ１０ｃは、ギヤ１０ａとは反対方向（図２７，２８では時計回り方向）に回動する。ローラ１０ｄは、ギヤ１０ａと同じ方向（図２７，２８では時計回り方向）に回動し、ディスプレイ５を収納部２ｔから筐体３の先端部側へ送る。一方、筐体３が展開状態から折りたたみ状態に向けて回動すると、ギヤ１０ａ，１０ｃならびにローラ１０ｄは、それぞれ展開される際とは逆方向に回動し、ディスプレイ５も展開される際とは逆方向に移動して収納部２ｔに収容される。本変形例によれば、ギヤ１０ｂを有しない分、駆動部１０Ｊがより簡素に構成されやすい。
【００４３】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また、各実施形態および変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。各実施形態および変形例の構成や形状による利点が、他の構成や形状の利点とは無関係に得られる場合がある。また、フレキシブルディスプレイの突出量は適宜に変更して設定することができる。また、駆動部のギヤの数や配置も適宜に変更することができる。
【符号の説明】
【００４４】
１，１Ａ〜１Ｊ…電子機器、２…筐体（第一の筐体）、２ａ…面（第一の面）、２ｂ…面（第二の面）、２ｋ…壁部（第一の壁部）、２ｒ…回路基板、３…筐体（第二の筐体）、３ａ…面（第二の面、第三の面）、３ｃ…端部（第二の端部）、３ｅ…端部（第一の端部）５…ディスプレイ（フレキシブルディスプレイ）、５ａ…面（表示面）、５ｋ…開口部、６…キーボード、１０，１０Ｇ，１０Ｉ，１０Ｊ…駆動部、１０ａ…ギヤ（第一のギヤ）、１０ｃ…ギヤ（第二のギヤ）、１０ｄ…ローラ（回動部）、１１，１２…可動部、１４…スプロケット（回動部）、１４ａ…歯。
【図１】
2014071613.tif 000003
【図２】
2014071613.tif 000004
【図３】
2014071613.tif 000005
【図４】
2014071613.tif 000006
【図５】
2014071613.tif 000007
【図６】
2014071613.tif 000008
【図７】
2014071613.tif 000009
【図８】
2014071613.tif 000010
【図９】
2014071613.tif 000011
【図１０】
2014071613.tif 000012
【図１１】
2014071613.tif 000013
【図１２】
2014071613.tif 000014
【図１３】
2014071613.tif 000015
【図１４】
2014071613.tif 000016
【図１５】
2014071613.tif 000017
【図１６】
2014071613.tif 000018
【図１７】
2014071613.tif 000019
【図１８】
2014071613.tif 000020
【図１９】
2014071613.tif 000021
【図２０】
2014071613.tif 000022
【図２１】
2014071613.tif 000023
【図２２】
2014071613.tif 000024
【図２３】
2014071613.tif 000025
【図２４】
2014071613.tif 000026
【図２５】
2014071613.tif 000027
【図２６】
2014071613.tif 000028
【図２７】
2014071613.tif 000029
【図２８】
2014071613.tif 000030